(57)【特許請求の範囲】
【請求項１】
ほぼ中央部へ釘挿通孔を有する逆皿状の本体と、当該本体の上底部へ一体に形成されたフランジ状ないし庇状のインサート部と、前記本体の内側へ当該本体の底部開口から突出しない状態で一体に形成された支持部とを具備し、前記支持部には一方の側部から他方の側部へ貫通する平面視十字状の挿通孔が形成され、前記インサート部の中心を挟んで対向する位置には施工時に生コンクリートが流下する流下部がそれぞれ形成されており、
さらに、前記流下部は前記インサート部を上下に貫通し、かつ中心を挟んで対向して形成される前記流下部の形成される方向は、前記支持部における挿通孔の挿通方向と一致することを特徴とする請求項１に記載のケーブル支持用インサート。
【請求項２】
前記流下部は、頂角が外周方向に位置するように形成された一対の二等辺三角形の孔である、請求項１記載のケーブル支持用インサート。
【請求項３】
天井スラブ形成部分へのコンクリート型枠の設置前又は設置後に、前記支持部における挿通孔へケーブル結束具を通した状態で前記請求項１または請求項２に記載のケーブル支持用インサートを前記釘挿通孔に挿通した仮止め釘により前記コンクリート型枠の裏面へ仮止めする工程と、設置された前記コンクリート型枠上にコンクリートを打設する工程と、打設したコンクリートの硬化後前記コンクリート型枠を取り外す工程と、前記支持部の挿通孔へ挿通されているケーブル結束具によりケーブルを結束する工程とを含むことを特徴とするケーブル支持施工方法。
【発明の詳細な説明】
【技術分野】
【０００１】
本発明は、ケーブルを吊下げ状に支持するために天井スラブ下面へ装着されるケーブル支持用インサート、及びそれを用いたケーブル支持施工方法に関するものである。
【背景技術】
【０００２】
近年インターネットその他の電気通信ネットワークの普及により、マンション等でも天井スラブ下面におけるケーブル等の必要配線数が飛躍的に増大し、それに伴ってケーブル支持用インサートについても施工効率の一層の改善が求められている。
【０００３】
前記のような要請に応えるものとして、図6で示すように、平面視中央部へ釘挿通孔１０を有する逆皿状の本体１と、当該本体１の上底部へ一体に形成されたフランジ状ないし庇状のインサート部２と、前記本体１の内側へ当該本体１の底部開口から突出しない状態で一体に形成された支持部３とを具備するケーブル支持用インサートａ１が広く賞用されている。（後記特許文献１参照）
このインサートａ１は硬質の合成樹脂製であって一体に成形され、前記支持部３にはケーブルの結束具４（図８）やケーブル吊下げ具を支持するために一方の側部から他方の側部へ貫通する挿通孔３０が形成されている。支持部３は本体１の径方向へ平行に形成された一対のほぼＵ字脚状部を呈しており、各脚状部は前記釘挿通孔１０へ挿通された後述の仮止め釘５が干渉しないよう所定の間隔を有している。
【０００４】
前記ケーブル支持用インサートａ１を用いたケーブル支持施工要領は、先ず図7で示すように、天井部分に水平に設置された型枠７の裏面（上面）へ相互の支持部３の挿通孔３０が一定の方向に沿う状態で、釘挿通孔１０へ挿通した仮止め釘５により前記ケーブル支持用インサートａ１を所定の間隔で列状に仮止めする。
この状態で型枠７の上にコンクリート8を打設する。
次いで図8で示すように、コンクリート８が硬化（凝固）した後前記型枠７を除去し、各インサートａ１を仮止めして残存している仮止め釘５をその折れ目ネック５０（図７）の部分から折って除去する。その後、各インサートａ１における支持部３の挿通孔３０へ例えば樹脂被覆金属線等の結束具４を通し、各結束具４により適数のケーブル６を結束してケーブル６を天井スラブに沿って配線する。
なお、結束具４に代えて、支持部３の挿通孔３０へケーブル吊下げ具（例えば、上端に前記挿通孔３０へ抜け止め状に係止する係止部を有し、その下方に適数のケーブル結束具の取付部が形成されている。）を係止状に吊下げ、この吊下げ具の取付部へケーブルの結束具を取り付けてケーブルを配線する場合もある。
【０００５】
前記ケーブル支持用インサートによれば、型枠７を取り外して残存する仮止め釘５を除去した後、支持部３の挿通孔３０へ結束具４などを挿通ないし係止してケーブル６を支持するので、施工効率が優れていた。
一方、インサートａ１を型枠７の裏面へ仮止めしてコンクリートを打設する際、生コンクリートは、逆皿状本体１の傾斜部に沿ってせり上がる状態で当該傾斜部とインサート部２との狭い隙間に流入する。しかし、逆皿状の本体１とフランジ状ないし庇状のインサート部２との空間は狭い隙間であって、この隙間には打設時に空気の残留その他の理由により生コンクリートが流入しない場合がしばしば発生する。
前記間隙に生コンクリートが流入しなかった場合、インサート部２のいかり作用が発揮されず施工後にインサートａ１が天井スラブ面から脱落し、あるいはガタツキが生じてケーブルの支持状態が不安定になるおそれがあった。
【特許文献１】特開２００５−１１０４０８号公報
【発明の開示】
【発明が解決しようとする課題】
【０００６】
本発明の課題は、天井裏へ配線されたケーブルの支持状態の改善にあり、その目的は、施工時にインサート部と本体との間に生コンクリートが流入し易く、施工後のケーブル支持状態の安定化が長期にわたって保証されるケーブル支持用インサートを提供することにある。
本発明の他の目的は、本発明に係るケーブル支持用インサートを使用して、一層効率よくケーブルを天井スラブへ配線することができるケーブル支持施工方法を提供することにある。
【課題を解決するための手段】
【０００７】
本発明に係るケーブル支持用インサートは、前記課題を解決するため、ほぼ中央部へ釘挿通孔を有する逆皿状の本体と、当該本体の上底部へ一体に形成されたフランジ状ないし庇状のインサート部と、前記本体の内側へ当該本体の底部開口から突出しない状態で一体に形成された支持部とを具備し、前記支持部には一方の側部から他方の側部へ貫通する平面視十字状の挿通孔が形成され、前記インサート部の中心を挟んで対向する位置には施工時に生コンクリートが流下する流下部がそれぞれ形成されており、さらに、前記流下部は前記インサート部を上下に貫通し、かつ中心を挟んで対向して形成される前記流下部の形成される方向は、前記支持部における挿通孔の挿通方向と一致することを特徴とするとしている。
また、流下部は、頂角が外周方向に位置するように形成された一対の二等辺三角形の孔であることを特徴とするものである。
【０００８】
本発明に係るケーブル支持施工方法は、天井スラブ形成部分へのコンクリート型枠の設置前又は設置後に、前記支持部における挿通孔へケーブル結束具を通した状態で前記本発明に係るケーブル支持用インサートを前記釘挿通孔に挿通した仮止め釘により前記コンクリート型枠の裏面へ仮止めする工程と、設置された前記コンクリート型枠上にコンクリートを打設する工程と、打設したコンクリートの硬化後前記コンクリート型枠を取り外す工程と、前記支持部の挿通孔へ挿通されているケーブル結束具によりケーブルを結束する工程とを含むことを最も主要な特徴としている。
【発明の効果】
【０００９】
本発明に係るケーブル支持用インサートによれば、フランジ状ないし庇状のインサート部の少なくとも一箇所には施工時に生コンクリートが流下するの流下部が形成されているので、コンクリート打設時にこの流下部を通じて生コンクリートがインサート部と本体との当該部分の間隙に流入拡散し、インサート部がコンクリートの天井スラブ内へ確実に保持される。
したがって、施工後にインサートが脱落したりガタツクことはなく、施工後のケーブル支持状態の安定化が長期にわたって保たれる。
【００１０】
本発明に係るケーブル支持施工方法によれば、ケーブルを結束具によって支持する場合において、本発明に係るケーブル支持用インサートを仮止め釘によりコンクリート型枠へ仮止めする前に、前記支持部の挿通孔へケーブル結束具が挿通されるので、既に天井スラブへ装着された状態のインサートの挿通孔へ結束具を挿通するのと比べて結束具の挿通孔への挿通が非常に容易（インサートの姿勢が特定されていないことによる。）であり、より効率よくケーブルを天井スラブに沿って配線支持することができる。
また、ケーブル支持用インサートとケーブル結束具との数を作業工程上自然に合わせることができる。
【発明を実施するための最良の形態】
【００１１】
図１〜図５を参照しながら、本発明に係るケーブル支持用インサートとケーブル支持施工方法の最良実施の形態を説明する。
図１は本発明に係る一実施形態のケーブル支持用インサートの平面図、図２は図１の矢印Ａ−Ａに沿う断面図、図３は図２の矢印Ｂ−Ｂに沿う断面図である。
【００１２】
ケーブル支持用インサートの実施形態
この実施形態のケーブル支持用インサートａは、ほぼ中央部へ釘挿通孔１０を有する逆皿状の本体１と、当該本体１の上底部へ一体に形成されたフランジ状ないし庇状のインサート部２と、前記本体１の内側へ当該本体１の底部開口から突出しない状態で一体に形成された支持部３とを具備している。
前記支持部３には少なくとも一方の側部から他方の側部へ貫通する挿通孔３０が形成され、前記インサート部２の少なくとも一箇所には施工時に生コンクリートが流下する流下部１１が形成されている。
【００１３】
インサートａは硬質の合成樹脂により一体に成形されており、釘挿通孔１０の周囲は破断し易いように薄肉部１１に形成されている。
この実施形態において、支持部３は逆皿状の本体１の内定部を囲む垂直な四本の柱片からなり、隣合う各柱片の下端部相互が連続している形態であるので、当該支持部３に形成されている挿通孔３０，３０は平面視十字状を呈している。
各挿通孔３０は、後述のようにケーブル６を結束するための樹脂被覆金属線等の結束具４を通す孔であるが、結束具４に代えて、支持部３の挿通孔３０へケーブル吊下げ具（例えば、上端に前記挿通孔３０へ抜け止め状に係止する係止部を有し、その下方に適数のケーブル結束具の取付部が形成されている。）を係止状に吊下げることもできる。
【００１４】
インサート部２に形成される生コンクリートの流下部２０が貫通孔である場合、その平面形状は三角形その他の多角形，円形，楕円形等一定の形状に限定する必要はないが、図示のように当該インサート部２を上下に貫通し、かつ前記二つの挿通孔３０，３０における一方の挿通方向（ケーブル配線方向）の指示部を兼ねた一対の孔であるのが好ましい。
また流下部２０が前記のようにケーブル配線方向の指示部を兼ねた貫通孔である場合、それらの各孔は一径方向に沿って頂角が外周方向に位置するように形成された一対の二等辺三角形であるのが好ましい。
流下部２０は、前記のように貫通孔であるのが好ましいが、孔に代えてインサート部２の中心方向から外周方向へ連続するスリット又は切欠きであっても実施することができる。
流下部２０はインサート部２の少なくとも一箇所に形成されていれば、当該流下部２０を流下した生コンクリートが当該流下部２０近傍領域における本体１とインサート部２との隙間に拡散するので十分に実施することができるが、この実施形態のように径方向に沿って二箇所に形成するのがバランス上好ましい。
【００１５】
インサート部２には、前記流下部２０の他に、二つの挿通孔３０，３０における他方の挿通方向（ケーブル配線方向）の指示部２１，２１が、前記流下部２０，２０の指示方向に対して直交する方向に刻設ないし表示されている。
この指示部２１，２１の平面視形状も頂角が外周方向に位置するように形成された一対の二等辺三角形である。
この実施形態において、本体１及びインサート部２は取扱い上又はバランス上平面視円形であることが好ましいが、平面視四角形その他の多角形であっても実施することができる。
【００１６】
ケーブル支持施工方法の実施形態
本発明に係るケーブル支持施工方法は、前記形態のケーブル支持用インサートａを用い、かつ支持部３の挿通孔３０へ結束具４（図４，５）を通して施工するのに適する施工方法である。
図４，５を参照しながら施工方法の一実施形態を以下説明する。
【００１７】
先ず天井スラブ形成部分にコンクリート型枠７を設置した後、相互の支持部３の挿通孔３０が一定の方向に沿う状態で、釘挿通孔１０へ挿通した仮止め釘５により前記ケーブル支持用インサートａを所定の間隔で列状に仮止めする。
ただし、この仮止めの前に図４のようにインサートａにおける支持部３の挿通孔３０へ適当な長さのケーブル結束具（この実施形態では樹脂被覆金属線）４を挿通し、当該結束具４の全体を逆皿状の本体１内へ収容した状態とする。
前記インサートaの型枠７に対する前記仮止めは、型枠７の設置前にあらかじめ当該型枠７へ仮止めし、その後当該型枠７を天井スラブ形成部分へ設置してもよい。
【００１８】
その後図４のように型枠７の裏面（上面）へコンクリート８を打設し、当該コンクリート８が硬化した後型枠７を取り外す。この実施形態では、型枠７の取り外しとともに除去されなかった仮止め釘５を、例えばペンチ（図示しない）等の工具を用いて下方へ引き下げ、釘挿通孔１０の周辺の肉薄部１１を破断して除去する。
なお、支持部３の挿通孔３０には既に結束具４が挿通されているので、仮止め釘５は結束具４の挿通作業の邪魔にはならず、したがって配線されるケーブル６の邪魔にならなければ仮止め釘５を除去する必要はない。
その後、前記結束具４によりケーブル６を吊下げ状に結束支持させる。
【００１９】
前記実施形態のケーブル支持用インサートによれば、コンクリート８を打設する際、インサート部２に形成された流下部２０，２０を通じて生コンクリートが流下し、各流下部２０の近傍において逆皿状の本体１とインサート部２との間隙に拡散するので、コンクリート８が硬化した後インサートａが脱落したりガタツクことはない。
したがって、施工後におけるケーブル６の配線状態の安定化を長期にわたって確保することができる。
インサート部２の上面にはケーブル配線方向の指示部２１が形成ないし表示され、また、施工持における生コンクリートの流下部２０はケーブル配線方向の指示部を兼ねているので、インサートａを型枠７上に仮止めする際、ケーブル６の配線方向と挿通孔３０の方向とを容易に一致させることができる。
支持部３の挿通孔３０は平面視十字状に形成されているので、ケーブル配線方向と挿通孔３０の方向とを一致させるのが一層容易である。
【００２０】
前記実施形態のケーブル支持施工方法によれば、ケーブルを結束具４によって支持する場合において、ケーブル支持用インサートａを仮止め釘５によりコンクリート型枠７へ仮止めする前に、前記支持部３の挿通孔３０へケーブル結束具４が挿通されるので、既に天井スラブへ装着された状態のインサートの挿通孔３０へ結束具４を挿通するのと比べ，結束具４の挿通孔３０への挿通が非常に容易であり、より効率よくケーブルを天井スラブに沿って配線支持することができる。
また、ケーブル支持用インサートａとケーブル結束具４との数を作業工程上自然に合わせることができる。
【図面の簡単な説明】
【００２１】
【図１】本発明に係る一実施形態のケーブル支持用インサートの平面図である。
【図２】図１の矢印Ａ−Ａに沿う断面図である。
【図３】図２の矢印Ｂ−Ｂに沿う断面図である。
【図４】本発明に係るケーブル支持施工方法の実施形態の中、ケーブル支持用インサートを型枠上に仮止めし、さらにコンクリートを打設した状態の部分断面図である。
【図５】図４の状態からコンクリートの硬化後型枠を取り外し、結束具によりケーブルをケーブル支持用インサートへ吊下げ状に支持させた状態の部分断面図である。
【図６】特許文献１に開示されている従来のケーブル支持用インサートの断面図である。
【図７】図６のケーブル支持用インサートを用いたケーブル支持施工方法の中、ケーブル支持用インサートを型枠上に仮止めし、さらにコンクリートを打設した状態の部分断面図である。
【図８】図７の状態からコンクリートの硬化後型枠を取り外し、結束具によりケーブルをケーブル支持用インサートへ吊下げ状に支持させた状態の部分断面図である。
【符号の説明】
【００２２】
ａ  ケーブル支持用インサート
１  逆皿状の本体
１０  釘挿通孔
１１  薄肉部
２  インサート部
２０  流下部
３  支持部
３０  挿通孔
４  結束具
５  仮止め釘
６  ケーブル
７  型枠
８  コンクリート
【図１】
0004766529.tif 000002
【図２】
0004766529.tif 000003
【図３】
0004766529.tif 000004
【図４】
0004766529.tif 000005
【図５】
0004766529.tif 000006
【図６】
0004766529.tif 000007
【図７】
0004766529.tif 000008
【図８】
0004766529.tif 000009